(57)【要約】【課題】石鹸片の脱落抑制と石鹸の使用感の向上とを両立した石鹸用ネットを提供する。【解決手段】石鹸用ネット１は、互いに重ねられ、互いの間に固形石鹸２、石鹸片３が収容される、筒状に連結された２枚のシート部材１１、１２を有する。シート部材１１、１２は、糸を編みこんで網目状に形成したネット素材から各々構成されている。シート部材１１は、網目を大きくして大きな孔を設け、シート部材１２は、網目を小さくして小さな孔を設ける。そして、大きな固形石鹸２が、大きな網目のシート部材１１と接し、小さな石鹸片３が、小さな網目のシート部材１２と接するように収容される。【選択図】図２
0003221732.tif 000002
【実用新案登録請求の範囲】
【請求項１】
石鹸を収容する、複数の孔が設けられた石鹸収容体であって、
２種類以上の異なる大きさの孔が設けられている、
石鹸収容体。
【請求項２】
請求項１に記載の石鹸収容体であって、
互いに重ねられ、互いの間に前記石鹸が収容される、筒状に連結された２枚のシート部材を有し、
前記２枚のシート部材の一方に設けた前記孔が、前記２枚のシート部材の他方に設けた前記孔よりも大きい、
石鹸収容体。
【請求項３】
請求項２に記載の石鹸収容体であって、
前記２枚のシート部材は、糸を編みこんで網目状に形成したネット素材から各々構成され、
前記２枚のシート部材の一方の網目が、前記２枚のシート部材の他方の網目よりも大きい、
石鹸収容体。
【考案の詳細な説明】
【技術分野】
【０００１】
本考案は、石鹸を収容する石鹸収容体に関する。
【背景技術】
【０００２】
固形石鹸をしばらく使用していると徐々に小さな石鹸片となり、そのままでは使用しづらいため、大きな固形石鹸に圧着したり、複数の小さな石鹸片を圧着するなどして使用されることがある。しかし単に圧着しただけでの石鹸片は、使用中に分離、脱落したりして必ずしも使いやすいものとは言えない。そのため小さな石鹸片をネットに入れて脱落しないように用いるアイデアが提案されている（特許文献１）。
【先行技術文献】
【特許文献】
【０００３】
【特許文献１】特開２００３−５２５６８号公報
【考案の概要】
【考案が解決しようとする課題】
【０００４】
しかしながら、ネットを用いた場合、小さくなった石鹸片がネットの網目から脱落することがある。一方、脱落を防ぐためネットの網目を小さくすると、石鹸と手指などが十分に接触できず、泡立ちが悪く、また洗浄、殺菌効果を十分に得ることができないという問題があった。
【０００５】
本考案は、上述した事情に鑑みてなされたものであり、その目的は、小さくなった石鹸片の脱落抑制と石鹸の使用感の向上とを両立することができる石鹸収容体を提供することにある。
【課題を解決するための手段】
【０００６】
上述した目的を達成するために、本考案に係る石鹸収容体は、下記［１］〜［３］を特徴としている。
［１］
石鹸を収容する、複数の孔が設けられた石鹸収容体であって、
２種類以上の異なる大きさの孔が設けられている、
石鹸収容体。
［２］
［１］に記載の石鹸収容体であって、
互いに重ねられ、互いの間に前記石鹸が収容される、筒状に連結された２枚のシート部材を有し、
前記２枚のシート部材の一方に設けた前記孔が、前記２枚のシート部材の他方に設けた前記孔よりも大きい、
石鹸収容体。
［３］
［２］に記載の石鹸収容体であって、
前記２枚のシート部材は、糸を編みこんで網目状に形成したネット素材から各々構成され、
前記２枚のシート部材の一方の網目が、前記２枚のシート部材の他方の網目よりも大きい、
石鹸収容体。
【０００７】
上記［１］の構成の石鹸収容体によれば、２種類以上の異なる大きさの孔を設けることにより、小さい孔の部分と小さい石鹸片とが接し、大きい孔の部分と大きい固形石鹸とが接するように、石鹸を収容することができる。これにより、小さい石鹸片の脱落を抑制すると共に、石鹸の使用感を向上させることができる。
【０００８】
上記［２］の構成の石鹸収容体によれば、２枚のシート部材の一方に設けた孔が、２枚のシート部材の他方の孔よりも大きく設けられている。これにより、簡単に小さい孔の部分と小さな石鹸片とが接し、大きい孔の部分と大きな固形石鹸とが接するように、石鹸を収容することができる。
【０００９】
上記［３］の構成の石鹸収容体によれば、２枚のシート部材は、糸を編みこむことにより網目状に形成したネット素材から構成され、２枚のシート部材の一方の網目が、２枚のシート部材の他方の網目よりも大きく設けられている。これにより、簡単に２枚のシート部材の一方に設けた孔を、他方に設けた孔よりも大きくすることができる。また、網目状に形成されるネット素材から構成されることにより、伸縮性が増し、石鹸との密着性を向上させて、小さい石鹸片の脱落抑制の効果を高めることができる。
【考案の効果】
【００１０】
本考案の石鹸収容体により、簡単に石鹸片の脱落抑制と石鹸の使用感の向上とを両立することができる。
【図面の簡単な説明】
【００１１】
【図１】図１は、本発明の石鹸収容体としての石鹸用ネットの概略斜視図である。
【図２】図２は、図１に示す石鹸用ネットの使用例を説明するための説明図である。
【図３】図３（Ａ）は、図２に示す使用例における石鹸ネットの表面図であり、図２（Ｂ）は、図２に示す使用例における石鹸ネットの裏面図である。
【図４】図４は、図１に示す石鹸用ネットの開口を塞ぐ手段の他の例を示す図である。
【図５】図５は、他の実施形態における石鹸用ネットの概略表面図である。
【図６】図６（Ａ）は、他の実施形態における石鹸用ネットの表面図であり、図６（Ｂ）は、他の実施形態における石鹸用ネットの裏面図である。
【考案を実施するための形態】
【００１２】
本考案に関する具体的な実施形態について、各図を参照しながら以下に説明する。
【００１３】
本考案の石鹸収容体としての石鹸用ネット１は、図１〜図３などに示すように、互いに重ねられ、互いの間に固形石鹸２、石鹸片３が収容される、筒状に連結された２枚のシート部材１１、１２を有している。２枚のシート部材１１、１２は各々、合成繊維、動物繊維、植物繊維などからなる糸を編みこむことにより網目状に形成されたネット素材から構成されている。
【００１４】
２枚のシート部材１１、１２は、未使用の矩形状の固形石鹸２よりも一回り大きい矩形状に形成され、互いに同じ大きさ、同じ形状で設けられる。２枚のシート部材１１、１２は、互いに重ねられた状態で、短手方向Ｄ２（図３）に対向する一対の端部Ｅ１，Ｅ１同士が縫い合わせ、溶着などにより連結され、筒状に形成される。
【００１５】
また、本実施形態では、２枚のシート部材１１、１２は、長手方向Ｄ１に対向する一対の端部Ｅ２（図３）のうち一方（本実施形態では図３の左側）同士が縫い合わせ、溶着などにより連結される。これにより、石鹸用ネット１は、筒状の２つの開口のうち一方が塞がれて、袋状に形成される。石鹸用ネット１の塞がれていない他方の開口が、石鹸の収納口１３（図１）となる。
【００１６】
また、上述した２枚のシート部材１１、１２の一方であるシート部材１１は、網目が大きく形成されており、上述した２枚のシート部材１１、１２の他方であるシート部材１２は、網目が小さく形成されている。即ち、シート部材１１の網目が、シート部材１２の網目よりも大きい。これらシート部材１１、１２に形成された網目が本発明における孔に相当する。
【００１７】
次に、上述した構成の石鹸用ネット１の使用方法について説明する。まず、未使用又は未使用状態に近い大きな直方体状の固形石鹸２を収納口１３から石鹸用ネット１内に挿入する。図２に示すように、大きな固形石鹸２の厚さ方向Ｄ４が２枚のシート部材１１、１２の重なり方向Ｄ３に沿うように固形石鹸２を石鹸用ネット１内に収容する。
【００１８】
次に、使用終期の小さな石鹸片３を固形石鹸２よりも他方のシート部材１２側（網目の小さいシート部材１２側）に収容する。このとき、小さな石鹸片３を固形石鹸２に向けて押圧して固形石鹸２に石鹸片３を圧着させる。その後、石鹸用ネット１の収納口１３を紐１４で縛って塞ぎ、収容した固形石鹸２、石鹸片３が収納口１３から外に出ないようにして使用する。
【００１９】
上述した石鹸用ネット１によれば、２種類の網目（孔）を有する。これにより、網目の小さいシート部材１１と小さな石鹸片３とが接し、網目の大きいシート部材１２と大きな固形石鹸２とが接するように、小さな石鹸片３及び大きな固形石鹸２を石鹸用ネット１内に収容することができる。これにより、網目の小さいシート部材１１で小さな石鹸片３の脱落を抑制できる。また、編目の大きいシート部材１２では大きな固形石鹸２の使用感を向上させることができる。
【００２０】
上記石鹸用ネット１を入浴時、手洗い時に使用すると、効果的に石鹸片３を活用することができ、石鹸片３がほぼなくなるまで使用することができた。
【００２１】
また、上述した実施形態によれば、シート部材１１の網目が、シート部材１２の網目よりも大きい。これにより、使用者が容易に網目の小さいシート部材１２と小さな石鹸片３とが接し、網目の大きいシート部材１１と大きな固形石鹸２とが接するように、石鹸用ネット１に固形石鹸２、石鹸片３を収容することができる。
【００２２】
また、上述した実施形態によれば、２枚のシート部材１１、１２は、糸を編みこむことにより網目状に形成したネット素材から構成され、シート部材１１の網目をシート部材１２の網目よりも大きくして、シート部材１１に設けた孔をシート部材１２に設けた孔よりも大きくしている。これにより、容易に２枚のシート部材１１、１２の一方に設けた孔を他方に設けた孔よりも大きくできる。また、網目状に形成したネット素材から構成されることにより、伸縮性が増し、固形石鹸２、石鹸片３との密着性を向上させて、脱落抑制の機能を高めることができる。
【００２３】
また、上述した実施形態によれば、網目が小さい方のシート部材１２を、網目の非常に細かい布地、例えば、絹などから構成することにより、効果的に、小さな石鹸片３を使い切ることができる。
【００２４】
なお、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００２５】
例えば、上述した実施形態によれば、石鹸用ネット１の収納口１３を紐１４により塞いでいたがこれに限ったものではない。収納口１３を塞ぐ手段としては、例えば、図４（Ａ）に示すように、ボタン１５を用いてボタン止してもよいし、図４（Ｂ）に示すように、チャック１６を用いてチャック止してもよい。また、図４（Ｃ）に示すように、収納口１３付近の２枚のシート部材１１、１２を玉止めしてもよい。
【００２６】
また、上述した実施形態によれば、ネット素材としては、合成繊維を編みこんで形成していたが、これに限ったものではなく、ネット素材としては、例えば、糸を編みこんだものであればよく、麻糸などであってもよい。
【００２７】
また、上述した実施形態によれば、筒状に形成された石鹸用ネット１の２つの開口の一方を塞いで袋状に形成していたが、これに限ったものではなく、図５に示すように、石鹸用ネット１の開口を塞がずに、２つの収納口を設け、固形石鹸２、石鹸片３を収容した後、２つの収納口１３を紐１４により塞ぐこともできる。
【００２８】
また、上述した実施形態によれば、石鹸収容体としての石鹸用ネット１は、ネット素材から構成されていたが、これに限ったものではない。例えば、図６に示すように、２枚のプラスチックシート１７、１８を重ねて筒状に形成し、２枚のプラスチックシート１７、１８の一方であるプラスチックシート１８に大孔２０（孔）を形成し、他方であるプラスチックシート１７に大孔２０よりも小さい小孔１９（孔）を形成するようにしてもよい。
【００２９】
また、上述した実施形態によれば、石鹸用ネット１は、２種類の大きさの網目や、孔１９、２０を設けていたが、これに限ったものではない。３種類以上の網目や孔を設けてもよい。
【符号の説明】
【００３０】
１  石鹸用ネット（石鹸収容体）
２  固形石鹸（石鹸）
３  石鹸片（石鹸）
１１、１２  シート部材
１９  小孔（孔）
２０  大孔（孔）
【図１】
0003221732.tif 000003
【図２】
0003221732.tif 000004
【図３】
0003221732.tif 000005
【図４】
0003221732.tif 000006
【図５】
0003221732.tif 000007
【図６】
0003221732.tif 000008